Podtech/llm-jp-corpus-v4-ja_patent huggingface dataset:
(57)【要約】【課題】  飲食店、小売店等において、店舗混雑状況に関する指標を算出し、店舗情報の一部として、インターネットを介して閲覧する。  飲食店等に対応するために、オーダーエントリーの情報、ＰＯＳレジの情報から飲食店舗混雑度、客滞在時間、客滞在時間単価を算出すること。小売店等に対応するためにＰＯＳレジ情報から小売店舗混雑度を算出すること。【解決手段】  飲食店等、席管理を必要とする店舗では、オーダーエントリー情報から注文開始時刻を参照して、ＰＯＳレジ情報から会計終了の時刻を参照して、その時間差を客滞在時間とする。店舗内の全席数に対する席占有中の座席数の比率を飲食店舗混雑度とする。ＰＯＳレジ情報から会計金額を参照して客滞在時間単価を求める。  小売店等、席管理を必要としない店舗では、ＰＯＳレジ情報から一定の時間きざみ内の会計処理件数合計を求め、過去実績の最大会計処理件数に対する比率を小売店舗混雑度とする。【特許請求の範囲】
【請求項１】
飲食店等、席管理を必要とする店舗で、既にオーダーエントリーのシステムを利用し、既にＰＯＳレジシステムを利用している場合、オーダーエントリー情報から注文開始時刻を参照して席占有開始時刻とし、ＰＯＳレジ情報から会計終了の時刻を参照して席占有終了時刻として、その時間差を客滞在時間として、ＰＯＳレジ情報に紐づけして、データベースに記録するステップ、
店舗内の全席数に対する席占有中の座席数の比率、または適切な補正を加えた比率を飲食店舗混雑度として一定の時間きざみ間隔でデータベースに記録するステップ、
ＰＯＳレジ情報から会計金額、客人数を参照して客滞在時間あたり、客人数あたりの会計金額を客滞在時間単価として一定の時間きざみ間隔でデータベースに記録するステップ、
データベースに記録された時間きざみごとの飲食店舗混雑度、客滞在時間、客滞在時間単価データを参照して、直近の時間きざみ内のデータをリアルタイム閲覧として、過去の時間きざみごとの時系列データを時系列閲覧として、インターネットを介して、インターネット接続端末により閲覧可能にする方法。
【請求項２】
小売店等、席管理を必要としない店舗で、既にＰＯＳレジシステムを利用している場合、ＰＯＳレジ情報から一定の時間きざみ内の会計処理件数合計を求め、同じ時間きざみ幅の店舗運営過去実績の最大会計処理件数または想定最大会計処理件数に対する比率を小売店舗混雑度として、ＰＯＳレジ情報に紐づけして、データベースに記録するステップ、
データベースに記録された時間きざみごとの小売店舗混雑度データを参照して、直近の時間きざみ内のデータをリアルタイム閲覧として、過去の時間きざみごとの時系列データを時系列閲覧として、インターネットを介して、インターネット接続端末により閲覧可能にする方法。
【発明の詳細な説明】
【技術分野】
【０００１】  本発明は飲食店等において、飲食店舗混雑度、客滞在時間、客滞在時間単価を算出し、小売店等において小売店舗混雑度を算出し、店舗情報の一部として、インターネットを介して、インターネット接続端末により閲覧する方法に関するものである。
【背景技術】
【０００２】  飲食店等、席管理を必要とする店舗の会計ではオーダーエントリーの技術およびＰＯＳレジの技術が、小売店等、席管理を必要としない店舗の会計ではＰＯＳレジの技術が広範に普及している。オーダーエントリーの情報には席占有開始の時間情報が、ＰＯＳレジ情報には席占有終了の時間情報が含まれていて、これらの情報から店舗混雑度を示す情報が算出できる。しかし現時点で、オーダーエントリーの情報、ＰＯＳレジの情報から店舗混雑度に関する情報を算出して有意な店舗情報の材料にする手法はまだ一般には提供されていない。
【発明の概要】
【発明が解決しようとする課題】
【０００３】  飲食店等に対応するために、オーダーエントリーの情報、ＰＯＳレジの情報から飲食店舗混雑度、客滞在時間、客滞在時間単価を算出することを可能にする。【０００４】  小売店等に対応するためにＰＯＳレジ情報から小売店舗混雑度を算出することを可能にする。【０００５】  飲食店舗混雑度、客滞在時間、客滞在時間単価、小売店舗混雑度は店舗情報の一部としてＰＯＳレジ情報と紐づけして、共有データとしてデータベースに保管し、インターネットを介して、インターネット接続端末によりリアルタイム閲覧および時系列閲覧できることを可能にする。
【課題を解決するための手段】
【０００６】  飲食店等、席管理を必要とする店舗で、既にオーダーエントリーのシステムを利用し、既にＰＯＳレジシステムを利用している場合、オーダーエントリー情報から注文開始時刻を参照して席占有開始時刻とし、ＰＯＳレジ情報から会計終了の時刻を参照して席占有終了時刻として、その時間差を客滞在時間として、ＰＯＳレジ情報に紐づけして、データベースに記録する。店舗内の全席数に対する席占有中の座席数の比率、または適切な補正を加えた比率を飲食店舗混雑度として一定の時間きざみ間隔でデータベースに記録する。【０００７】  飲食店等において、ＰＯＳレジ情報から会計金額、客人数を参照して客滞在時間あたり、客人数あたりの会計金額を客滞在時間単価として一定の時間きざみ間隔でデータベースに記録する。【０００８】  小売店等、席管理を必要としない店舗で、既にＰＯＳレジシステムを利用している場合、ＰＯＳレジ情報から一定の時間きざみ内の会計処理件数合計を求め、同じ時間きざみ幅の店舗運営過去実績の最大会計処理件数または想定最大会計処理件数に対する比率を小売店舗混雑度として、ＰＯＳレジ情報に紐づけして、データベースに記録する。【０００９】  データベースに記録された時間きざみごとの飲食店舗混雑度、客滞在時間、客滞在時間単価、小売店舗混雑度データを参照して、直近の時間きざみ内のデータをリアルタイム閲覧として、過去の時間きざみごとの時系列データを時系列閲覧として、インターネットを介して、インターネット接続端末により閲覧可能にする。
【発明の効果】
【００１０】  店舗情報の構成要素として飲食店舗混雑度、客滞在時間、客滞在時間単価、小売店舗混雑度が追加されたことにより、店舗分析の範囲が広がるものである。
(57)【要約】【課題】従来の音楽データのダウンロードとは異なり、音楽と音を埋め込んだアプリによって新曲を一アプリにして作品として発表、ダウンロード課金をするビジネスモデルを提供する。【解決手段】音楽の安易なコピーがしにくいアプリにして、著作権を守り、低価格化及びコピー容易の音楽データのみのダウンロードから脱却し、新曲オリジナルの映像と歌を合わせて埋め込んだミュージックアプリを制作、一アプリ、一作品化、インターネットのプラットホームによる課金システムを利用したダウンロード販売を、これからの音楽業界の再建の柱にするビジネスモデルある。【選択図】図１
2018181284.tif 000002
【特許請求の範囲】
【請求項１】
従来の音楽データのダウンロードと異なり「アーチストの演奏や歌と映像」を合わせてアプリに埋め込み、一曲を一アプリに制作し、インターネットを介して、プラットホームにて、クレジット決済、デビットカード決済、銀行振り込みなどの課金システムを利用し、単体のミュージックアプリとしてダウンロード販売をするものである。
また、一曲一アプリの他、アーチストの数曲と映像を収録、アルバムアプリとして複数曲入りの一アプリも随時制作する。
音楽は、集まった所属の作詞、作曲家グループが制作、新曲として各アーチストを指定して、レコーディング及びビデオ撮影をし、本件のミュージックアプリに制作。
専用プラットホームにて発表、ダウンロードのユーザーには課金システムにて販売する。
ｉフォン、スマートフォン、タブレットＰＣ及びパソコン上でアプリ再生する。音楽部分には高音質のハイレゾ録音を採用する。
音楽と歌手（アーチスト）のオリジナル新曲と映像を埋め込んで、一アプリ、一作品で音楽を販売するビジネスモデル特許である。
【発明の詳細な説明】
【技術分野】
【０００１】本ビジネスモデルは、現在主流である音楽データによるダウンロード配信から脱却し、音楽と映像の両方を埋め込んだアプリの作品を提供、ダウンロード配信及び課金によるビジネスモデルである。
【背景技術】
【０００２】この種の音楽ダウンロードに関しては、ソニー株式会社の（特開２０１３−２１０８７６）の、音楽データダウンロードが公知である。そこでは音楽データのみをダウンロードさせる仕組みであり、現在の事業形態である。
また、オリコンサイトでは、音楽データのダウンロードとは別に、ビデオとして映像をダウンロード課金、音楽データと映像データを分けて販売してる。
【先行技術文献】
【特許文献】
【０００３】
【特許文献１】特開２０１３−２１０８７６号
【発明の概要】
【発明が解決しようとする課題】アプリ制作技術により、撮影した映像とハイレゾ録音した楽曲の双方を埋め込み、アプリ化し、提供する。
【課題を解決するための手段】
【０００４】  音楽データよりもコピーしにくいアプリ技術により、映像と音楽を融合させて、一曲、又は複数曲を埋め込んだ一アプリ作品を制作、提供。
ｉフォン、スマートフォン、タブレットＰＣ及びパソコンにて、プラットホームのメニューからアプリを購入ダウンロード提供することにより、音楽と映像を同時にアプリで楽しめる。
【発明の効果】
【０００５】  一作品、一アプリにすることにより、音楽を映像と共に、簡素に配信できる。また、不法コピーの防止にも、アプリの仕組みにすることによって、減少させ、また、音楽のみの配信ではないため、音楽のみの流出が、すぐに違法だと分かる効果がある。また、一作品の一アプリには、ＣＤのようなコレクション性も生まれる。
【図面の簡単な説明】
【０００６】
【図１】作詞、作曲家がインターネットを介して、出来上がった作品をサーバーに上げる。その作品を指定したアーチストがレコーディング及び動画撮影したものをサーバーに上げる。アプリに制作した後、プラットホームに展示、提供。ユーザーが無料視聴した後、課金システムを使い、アプリをダウンロード購入できる。
【図２】プラットホームの展示、提供アイコンである。無料視聴、購入の二つのボタンが設置。簡単に試聴、ダウンロード購入ができる仕様である。
【発明を実施するための形態】
【０００７】図１は、インターネットを介した作詞作曲の制作、動画制作の入稿、及び当プラットホームからユーザーに提供するまでの全体の実施例を示す。
図２は、プラットホーム上の作品陳列例を示し、この形態が新作の数により、並んで行く。
【産業上の利用可能性】
【０００８】ＣＤ現物が売れない時代、インターネットで音楽データ配信が主流になるも、異法コピーの簡易により、氾濫。またミュージック動画は、ユーチューブなどの動画サイトに無料で公開され、音楽業界そのものが次の出口を模索している中、音楽に映像を組みこんだアプリで商品化することにより、著作権と肖像権を守り、産業上有益、かつ携帯アプリ時代のニーズに合った、ビジネスモデルである。
【図１】
2018181284.tif 000003
【図２】
2018181284.tif 000004
(57)【要約】【課題】トイレブラシにストッパーを２個付け、収納容器と一緒に運びやすくしたトイレブラシを提供する。【解決手段】トイレブラシの水切り用のストッパーの下に、もう１つストッパーを付けて、トイレブラシを持ち上げれば、収納容器ごと  すぐに移動できることを特徴とするトイレブラシ。【選択図】図１
2018102889.tif 000002
【特許請求の範囲】
【請求項１】
トイレブラシの水切り用のストッパーの下に、もう１つストッパーを付けて、トイレブラシを持ち上げれば、収納容器ごと  すぐに移動出来ることを特徴とするトイレブラシ。
【発明の詳細な説明】
【技術分野】
【０００１】本発明は、トイレブラシにストッパーを２個付け、収納容器と一緒に運びやすくしたトイレブラシに関するものである。
【背景技術】
【０００２】従来、トイレブラシとその収納容器を、一緒に簡単に移動することが難しかった。
【発明の概要】
【発明が解決しようとする課題】
【０００４】そのために次のような問題点があった。
トイレブラシとその収納容器を一緒に移動する時、トイレブラシの水切り用のストッパーを、収納容器のフチの上に置いたものを、収納容器のフチの下に入れかえて、トイレブラシに収納容器を  つり下げて移動していて、手間がかかった。
本発明は、この問題点を解決するためになされたものである。
【課題を解決するための手段】
【０００５】トイレブラシの水切り用のストッパーの下に、もう１つストッパーを付けて、トイレブラシを持ち上げれば、収納容器ごと  すぐに移動できるようにしたものである。
以上を特徴とするトイレブラシである。
【発明の効果】
【０００６】トイレ掃除の時、トイレブラシと収納容器を一緒に簡単に移動することができる。
【図面の簡単な説明】
【０００７】
【図１】  本発明の斜視図である。
【図２】  本発明のトイレブラシの水切り状態時の斜視図である。
【図３】  本発明のトイレブラシと収納容器の移動時の斜視図である。
【発明を実施するための形態】
【０００８】以下、本発明の実施の形態について説明する。
従来のトイレブラシに付いている水切り用のストッパーの下に  もう１つ収納容器の持ち運び用のストッパーを付ける。
本発明は、以上のような構成である。
本発明を使用する時は、
ふだん、トイレブラシが水切り状態で置かれている収納容器で、
トイレブラシを持ち上げるだけで、トイレブラシの下のストッパーにより、収納容器も一緒に移動することができる。
【符号の説明】
【０００９】１  トイレブラシ
２  水切りストッパー
３  容器移動時のストッパー
４  収納容器
【図１】
2018102889.tif 000003
【図２】
2018102889.tif 000004
【図３】
2018102889.tif 000005
(57)【要約】【課題】そうじ機に吸い込みたくないものを吸い込まなくするためそうじ機の吸い込み防止網を提供する【解決手段】そうじ機の吸い込み口の倍くらいのアルミ製の網を折り込むことを特徴とする【選択図】図１
2018102981.tif 000002
【特許請求の範囲】
【請求項１】
そうじ機の吸い込み口に折り込む吸い込み防止網
【発明の詳細な説明】
【技術分野】
【０００１】この発明はそうじ機の吸い込み防止網に関するものである
【背景技術】
【０００２】従来、そうじ機の吸い込み口には何も付いていなかった
【先行技術文献】
【０００３】
【特許文献１】
【非特許文献１】
【発明の概要】
【発明が解決しようとする課題】
【０００４】これは次のような欠点があった
（イ）そうじ機に吸い込みたくない物まで吸い込んでしまう
本発明は、以上のような欠点をなくすためになされたものである
【課題を解決するための手段】
【０００５】そうじ機の吸い込み口に網を付けなければならない
本発明は、以上の構成によりなるそうじ機の吸い込み防止網である
【発明の効果】
【０００６】（イ）吸い込みたくない物を吸い込まなくなる
【図面の簡単な説明】
【０００７】
【図１】本発明の見取り図である
【発明を実施するための形態】
【０００８】以下、本発明を実施するための最良の形態について説明する
そうじ機の（１）吸い込み口に倍くらいの大きさの（２）アルミ製網を折り込む
本発明は、以上のような構造である
【符号の説明】
【０００９】１  吸い込み口
２  アルミ製網
【図１】
2018102981.tif 000003
(57)【要約】【課題】家庭で発生する生ごみを堆肥化するには、発酵菌を混ぜ合わせ攪拌して酸素を取り込み、生ごみの発酵温度を利用して堆肥化されていたが、温度確保不足酸素の確保不足で、虫が発生したり悪臭が出たり、水分過多などの状況になっていた。本発明は、発酵に必要な温度の確保、酸素の確保が可能な、家庭用収納型リサイクル装置を提供する。【解決手段】たてなが箱型の下部にヒ‐タ‐を設け、上部に傾斜が出来る発酵槽を設けヒ‐タ‐を設けた位置より、吸引管で発酵槽を接続し、熱を含んだ酸素を排気ファンの作動で発酵槽に取り込み、排気を行い生ごみの攪拌は、ヘラ型の用具で攪拌する、温度の確保と酸素の確保に特徴をもち、堆肥取り出し時には、発酵槽を傾けて取り出せる、家庭用生ごみ収納リサイクル装置である。【選択図】図１
2018069219.tif 000002
【特許請求の範囲】
【請求項１】
架台式のたてなが箱型にヒ‐タ‐と傾斜が可能な発酵槽を設け、ヒ‐タ‐部より熱を含んだ酸素を、排気ファンの作動で発酵槽に取り込み、内容物はヘラ型の用具で攪拌し、排気ファンで排気する、家庭用生ごみ収納リサイクル装置。
【発明の詳細な説明】
【技術分野】
【０００１】この発明は、家庭で発生する生ごみを、酸素、温度、攪拌（手動）発酵菌資材の組み合わせによって堆肥化する、家庭用生ごみ収納リサイクル装置に関するものである。
【背景の技術】
【０００２】従来、家庭で発生する生ごみのリサイクル関連では、電動機器の発酵堆肥化型乾燥型、容器等にてはコンポスト等が活用されている。
【発明の概要】
【発明が解決しようとする課題】
【０００３】これは次のような欠点があった
（イ）悪臭、虫発生、水分過多、発酵不足。
（ロ）電動式にてはメンテナ管理の不備。
（ハ）発酵不具合の場合焼却処分。
（ニ）投入前、生ごみの水切りが必要。
（ホ）生ごみ投入期間１ヶ月程度で短期である。
いずれも発酵に関しての、酸素の確保、温度の確保、攪拌、の調整の不備で発生するものである、本発明はこれらの欠点をなくすためになされたものである。
【課題を解決するための手段】
【０００４】架台（８）で形成された、たてなが箱型の前面部を、扉（３）で開閉式にして上部に傾斜が可能で、吸引口、排気口を設けた、槽（１）を設け、たてながの箱の下部にヒ‐タ‐（９）を設け、たてなが箱の下部より、ジャバラ（７）を設けた吸引管で槽（１）にヒ‐タ‐で暖められた酸素を、排気ファン（２０）の作動によって、確保し槽（１）に設けた排気口より、排気菅を設けて排気ファン（２０）で排気する。
槽（１）の内部の攪拌は（図４）（図５）の用具で、（図６）に示す手順にて攪拌を行う。
本発明は以上よりなる、家庭用生ごみ収納リサイクル装置である。
【発明の効果】
【０００５】（イ）排気菅の上部先端に電動式排気ファン（２０）を設けることにより槽（１）への充      分な酸素の取り込みが可能になった。
（ロ）排気ファン（２０）は外部の新鮮な空気と、槽（１）より排出される空気を混合す      る機能を有するため、人体で感じる臭気を防ぐことができる。
（ハ）たてながの箱状の下部にヒ‐タ‐（９）を設けて、槽（１）を０，８ミリ程度の薄      板鋼材を用いる事によって熱伝道率作動で、槽（１）の下部の温度確保が充分可能      になった。
（ニ）たてなが箱状下部の、ヒ‐タ‐（９）の取り付け箇所より暖められた酸素を、排気      ファン（２０）の作動でジャバラ（７）を設けた吸引菅より、槽（１）に送り込む      ことによって季節に関係なく、槽（１）の内部温度の確保が全体的に可能になった      。
（ホ）（図４）（図５）に示した用具を（図６）にもとずいた使用方法にて攪拌すること      によって内容物（生ごみ）と、槽（１）の間に隙間を確保でき、（図４）（図５）      の用具は底部の半円の中心部まで、到達する長さであるので底部の酸素の確保と内      容物が底部に付着することを、回避することができ底部の、酸素と温度がとどこう      り無く確保できる。
（ヘ）従来温度確保には、発酵菌の作動で発生する発酵温度を利用して、堆肥化を行って      いたため、長期の温度確保が困難であったが、ヒ‐タ‐（９）を設けることによっ      て生ごみの発酵温度の補助が可能になり、発酵温度の長期確保が可能になった。
（ト）内容物（堆肥）を取り出し時、槽（１）を傾斜できるため、短時間で取り出しがで      きるようになった、よって生ごみ回収事業が可能になった。
【図面の簡単な説明】
【０００６】
【図１】  本発明の斜視図
【図２】  本発明の側面図
【図３】  本発明の内容物取り出し時の側面図
【図４】  本発明用具の斜視図
【図５】  本発明用具の側面図
【図６】  攪拌時に使用する用具（図４）（図５）の使用方法
【発明を実施するための最良の形態】
【０００７】以下、本発明を実施するための最良の形態について説明する。
架台（８）で形成された、たてなが箱型の前部を扉（３）で開閉式にし、上部に吸引口と排気口を設けた傾斜可能な槽（１）を設ける。
たてなが箱型の下部に固定した、ヒ‐タ‐（９）の箇所より、ジャバラ（７）を設けた取り外し可能な吸引菅で、槽（１）を接続し、槽（１）の排気口より取り外し可能な排気菅を設け、排気菅の上部に設けた、空気を混合させる形式の排気ファン（２０）で排気する。
内容物（生ごみ）の攪拌にては（図４）（図５）に示す用具にて（図６）にもとずいた使用方法で行う。
排気ファン（２０）と、ヒ‐タ‐（９）の作動はいずれもタイマ‐式にて、季節温度の変化には充分対応できることになる。
内容物（堆肥）を取り出す場合は、槽（１）を傾けて取り出せる。
【符号の説明】
【０００８】１  槽、２  蓋、３  扉、４  保温材、５槽補強、６、蓋止め金具、７  ジャバラ
８  架台、９  ヒ‐タ‐、１０  ヒ‐タ‐保護版、１１  槽固定金物、
１２  回転槽受け金物、１３  パッキン、１４  パッキン押さえ板、
１５  断熱材、１６  菅受け兼蓋受け、１７  通気穴、１８  蓋受けささえ棒、
１９  扉止め金具、２０  排気ファン、
【図１】
2018069219.tif 000003
【図２】
2018069219.tif 000004
【図３】
2018069219.tif 000005
【図４】
2018069219.tif 000006
【図５】
2018069219.tif 000007
【図６】
2018069219.tif 000008
(57)【要約】【課題】割りばしで食事中に箸を手元から離す時、食器の上に渡すように置くか、皿などの端に置いてしまうが、不安定なので転がって床に落ちたり、汁物の中に落ちてしまう問題があり、箸置きがあると問題は解決すると思い、割り箸と一緒に袋の中に入れて置く箸置き付箸袋と、同じ考えの物を店専用の箸に使用する為の使い捨て箸置きシートを提供する。【解決手段】割りばし用の箸置き付き箸袋は、箸に鉢巻のように巻き付けた物を、箸を抜いて、はずしてから指先でつまむように押すと簡単に立体的な箸置きになるようにした。  箸置きシートは、考え方作り方は同じ物を箸袋には入れずに店専用の箸に使用し使い捨てにする物で、店に置いて嵩張らず何枚も重ねて保管出来るようにシート状にした。  同じものを材質を変えて作り、携帯箸置きとしても良い。【選択図】図１
2018069015.tif 000002
【特許請求の範囲】
【請求項１】
箸袋の中の箸に鉢巻状に巻き付けて置いた物で箸置きを作るが、箸を抜いた物を指でつまむ様に押して立体的にして箸置きにする物を箸袋に入れた、箸置き付箸袋。
【請求項２】
箸置きシートは、箸置きにする作り方は［請求項１］と同じであるが、これは箸袋には入れずに店の箸に使用し使い捨ての物で、台紙の上で平らなシート状になって居るので、それを使用時に同じように指先でつまむ様に押すと立体的になり、それを箸置きとして使用する、使い捨ての箸置きシート。
【請求項３】
箸置き全体又は箸を乗せる面だけを抗菌にする箸置き付箸袋と箸置きシート。
【発明の詳細な説明】
【技術分野】
【０００１】  本発明は、割りばしで食事中に箸を置く時、食器の上や皿の端に置いて落とすことが多々あり不安定なので、箸袋の中に箸置きになる機能を備えた物を入れて置き、箸置き付箸袋とし、そして同じ考えの物を、箸袋には入れずにシートの形にして店の箸用に使用する箸置きシートを提供する。
【背景技術】
【０００２】  従来、箸を置く場所として紙の箸袋などで、折り畳んで箸置きとして使う人はいた。
既に実用新案（特許文献１参照）として出ている物は、紙を箸袋の中に入れて、それを箸袋とともに箸置きとした物である。
【先行技術文献】
【特許文献】
【０００３】
【特許文献１】  実用新案第３０９０３３３号公報
【発明の概要】
【発明が解決しようとする課題】
【０００４】  従来より、次のような問題点があった。
（イ）飲食店で食事中に箸を休める時、皿の端に置いたり食器に渡して掛けたりと不安定で落ち着かなかった。
（ロ）その為不安定なので床に転がり落ちたり、食事途中の器の汁の中に落としてしまったりすることが多々あった。
（ハ）食器に箸を渡して置くなどは不安定なだけではなく、品が悪い。
（ニ）直接食べ物を口に運ぶものなのに意外に抗菌に関心を持つものが少ない。
本発明品は以上の問題点を解決しようとする物である。
【課題を解決するための手段】
【０００５】  箸に鉢巻のように少し厚手の紙を約５０ｍｍ長さの物を巻き付けて箸袋にセットして置き、使用時には箸から抜いて軽く押すと立ち上がり、立体的にして箸置きを作る。
箸置き自身が転がらないように台紙として伸ばすと、より安定する。又箸を置いた時、箸置きから転がらない為に、箸を置く面の両端を少し立てて、転がり防止とした。
更にその箸置きには抗菌を施してあると、より衛生的で気持ちが良い。
この箸置きは、シート状にして単独で箸置きの無い店などに置いておくと、店専用の箸に使う使い捨ての箸置きとして、更に材質などを変えると携帯箸置きなどが考えられる。
【発明の効果】
【０００６】（イ）食事中に箸を休める時、箸置きがあると箸が転がったり落としたりしないので、落ち着いて食事が出来る。
（ロ）箸置きを作るには、箸に巻き付けた紙を指でつまむように押すだけなので誰にでも簡単に箸置きが作れる。
（ハ）より衛生的にと考えた時、箸置きが抗菌であったら、なお気持ちは良い筈。
（ニ）世界では箸を使う国は他にもあるが箸置きを使う国は少ないと思うので、特に食事のマナーは気になる事なので、外国人から見ても上品な日本、品格のある日本として好感度が上がる事も期待出来る。
【図面の簡単な説明】
【図１】本発明の斜視図である。
【図２】本発明の分解図である
【図３】本発明の使用状態を示した物である
【図４】本発明の展開図を示した物である、
【発明を実施するための形態】
【０００８】  以下、本発明の実施の形態を説明する。
（イ）箸袋（１）の中の箸（２）に巻いてある鉢巻状の紙（３）を箸から抜く。
（ロ）抜いた鉢巻状の紙を指で挟んで押して、立体的にする。
（ハ）上面の箸置き（４）の端を少し剥がして持ち上げ、立ち上がり（箸の転がり止め）（５）をつくる。
（ニ）予め折り目線（６）を付けて置くとなお簡単にきれいな形になる。
（ホ）箸置き自身が転がらないように安定性を高める為に底になる紙を延長して、その部分の名称を仮に台紙とした。
【符号の説明】
【０００９】  １箸袋
２箸
３箸置き用の紙（鉢巻紙）
４箸置きの上面（箸を置くところ）
５立ち上がり（箸の転がり止め）
６立ち上がりの為の切れ込み
７折り目線
８台紙
９台紙に接着する底の面
１０箸置きシート
【図１】
2018069015.tif 000003
【図２】
2018069015.tif 000004
【図３】
2018069015.tif 000005
【図４】
2018069015.tif 000006
(57)【要約】【課題】大勢で食べる料理が盛られている大皿は、使用頻度が低く利便性がなかった。  本発明は、小皿から大皿としてまで使用できる、利便性の高いつけはずし皿を提供する。【解決手段】まるい小皿、まるい皿の中心部が円形に穴が空いている中皿、まるい皿の中心部が円形に穴が空いている大皿の３種類で１セットになる皿で、重ねたり外したりして使用することを特徴とする、つけはずし皿。【選択図】図２
2018069014.tif 000002
【特許請求の範囲】
【請求項１】
まるい小皿、まるい皿の中心部が円形に穴が空いている中皿、まるい皿の中心部が円形に穴が空いている大皿の３種類で１セットになる皿で、重ねたり外したりして使用するつけはずし皿。
【発明の詳細な説明】
【技術分野】
【０００１】  本発明は、用途に応じてつけはずしできる、つけはずし皿に関するものである。
【背景技術】
【０００２】  従来、料理にあわせて皿を使いわけていたため、めったに使用しない大きな皿が、家庭には多く用意されていた。
【先行技術文献】
【特許文献】
【０００３】
【発明の概要】
【発明が解決しようとする課題】
【０００４】  大勢で食べる料理が盛られている大皿は、使用頻度が低く利便性がなかった。
本発明は、以上の問題点を解決するためになされたものである。
【課題を解決するための手段】
【０００５】  まるい小皿、まるい皿の中心部が円形に穴が空いている中皿、まるい皿の中心部が円形に穴が空いている大皿の３種類で１セットになる皿で、重ねたり外したりして使用する。
以上の構成よりなるつけはずし皿。
【発明の効果】
【０００６】  １人で使用する時は、まるい小皿を使い、大勢で食べる料理を盛るときは、料理の量によって、まるい小皿の上に、まるい皿の中心部が円形に穴が空いている中皿と、まるい皿の中心部が円形に穴が空いている大皿を、重ねて使用する。そのため使用頻度が高い皿になる。
本発明は、１人で使用したり大勢でも使用できる利便性の高い皿である。
【図面の簡単な説明】
【０００７】
【図１】本発明の説明図
【図２】本発明の使用状態の説明図
【発明を実施するための形態】
【０００８】  以下、本発明の実施の形態を説明する。
まるい小皿（１）の上に、まるい皿の中心部が円形に穴が空いている中皿（２）を重ねる。さらにまるい皿の中心部が円形に穴が空いている中皿（２）の上に、まるい皿の中心部が円形に穴が空いている大皿（３）を重ねる。
本発明は以上のような構造である。
本発明を使用するときは、料理の量によって、まるい小皿（１）の上に、まるい皿の中心部が円形に穴が空いている中皿（２）と、まるい皿の中心部が円形に穴が空いている大皿（３）を、つけたりはずしたりして使用する。
【符号の説明】
【０００９】１まるい小皿、２まるい皿の中心部が円形に穴が空いている中皿、
３まるい皿の中心部が円形に穴が空いている大皿
【図１】
2018069014.tif 000003
【図２】
2018069014.tif 000004
(57)【要約】【課題】縄でものを結ぶとき、両手で結ばなければならない。という不都合を解決する【解決手段】縄の両端にボタンを付け片手でボタンを縄に押し込み、結んだ状態にできることにより、両手で縄を結ばなければならないという不都合を解決する。【選択図】図１
2018069016.tif 000002
【特許請求の範囲】
【請求項１】
両端ボタン付縄である。
ボタンの変わりに宝石、石等も含まれる。
【発明の詳細な説明】
【技術分野】
【０００１】縄を使かってものをしばるのに両手を使かって結ぶ必要がある。片手で縄をしばることがでるように両端にボタンを付けた。
両端ボタン付縄を発明した。
【背景技術】
【０００２】従来は、縄を使かってものを結ぶとき、両手で結ぶ必要がある。片手で結べないという不便がある。
【発明の開治】
【発明が解決しようとする課題】
【０００３】縄で物をしばるのに両手を使う
本発明は上記のような両手を使うという欠点を解決するためのものである
【課題を解決するための手段】
【０００４】何かをしばるときの必要な長さの縄の両端にボタンを付ける、両端ボタン付縄を発明した。
物に縄をまいて、縄の間に片手でボタンを差し込みしばる、もう一方のボタン端を縄に差し込んでしばる。このように両手を使かって縄をしばるという欠点を解決した。
【発明の効果】
【０００５】本発明により、両手を使わず、片手で物に縄をまき、しばることができるようになった。
【発明を実施するための最良の形態】
【０００６】図１は、縄の両端にボタンをつけた、両ボタン付縄の斜視図である。
ボタンを縄にさし込むことによって片手で、縄をしばれる。【０００７】図２は、左腕に右手で縄をしばった実施図面である【０００８】これらの材料は、ボタンの変わりに円形、三角形、四角形の宝石や石でもよい。
【産業上の利用可能性】
【０００９】本発明は、工業的に量産する事が可能であるため、産業上の利用可能性を有する
【図面の簡単な説明】
【００１０】
【図１】縄の両端にボタンを付けた両ボタン付縄の斜視図である
【図２】両ボタン付縄を左手につけた実施例である
【符合の説明】
【００１１】１  縄
２  ボタン
３  腕（左）
【図１】
2018069016.tif 000003
【図２】
2018069016.tif 000004
(57)【要約】【課題】  本発明は、幼い子供の入浴させるときに、浴槽に取り付けて使用する幼児用補助風呂を提供する。【解決手段】・    幼児用補助風呂（１）の上部に固定するための窪みを設け、幼児用補助風呂（１）のふちの内側に取り付けるためのベルト状の留め具（２）を設け、ベルト状の留め具（２）にフック（６）を２ヵ所設け、子供が足を出して、入れる穴（４）を風呂の底に４個設け、安全のため、横につかまる棒（３）を設けたことを特徴とする幼児用補助風呂。【選択図】図１
2018069002.tif 000002
【特許請求の範囲】
【請求項１】
幼児用補助風呂（１）の上部に固定するための窪みを設け、幼児用補助風呂（１）のふちの内側に取り付けるためのベルト状の留め具（２）を設け、ベルト状の留め具（２）にフック（６）を２ヵ所設け、子供が足を出して、入れる穴（４）を風呂の底に４個設け、安全のため、横につかまる棒（３）を設けたことを特徴とする幼児用補助風呂。
【発明の詳細な説明】
【技術分野】
【０００１】  本発明は、幼い子供の入浴させるときに、浴槽に取り付けて使用する幼児用補助風呂に関するものである。
【背景技術】
【０００２】  従来、浴槽の外でベビーバスにお湯を入れて使用していたので、寒いときなど、お湯が冷めやすかった。
また、幼い子供と一緒に入ると濡れたままで幼い子供の着替えをしていた。
安全性に優れた、母子で入浴するときに使用する乳児入浴補助具があった（特許文献１）。
【先行技術文献】
【特許文献】
【０００３】
【特許文献１】  実開平５−９３３７８号公報
【発明の概要】
【発明が解決しようとする課題】
【０００４】（イ）従来、幼い子供を入浴させるとき、浴槽に入れる人と、子供を受け取る人、２人が    必要だった。
（ロ）浴槽に取り付けられる、人浴補助具類がなかった。
（ハ）一人で入れると大変だった。
（ニ）お湯が冷めやすい。
（ホ）たし湯が危険だった。
そのため、本発明は、これらの問題点を解決するためのものである。
【課題を解決するための手段】
【０００５】  幼児用補助風呂（１）の上部に固定するための窪みを設け、幼児用補助風呂（１）のふちの内側に取り付けるためのベルト状の留め具（２）を設け、ベルト状の留め具（２）にフック（６）を２ヵ所設け、子供が足を出して、入れる穴（４）を風呂の底に４個設ける。
（ニ）安全のため、横につかまる棒（３）を設けたことを特徴とする幼児用補助風呂。
【発明の効果】
【０００６】（イ）入れる人が服を着て入れることができる。
（ロ）湯舟の中に付けるので冷めない。
（ハ）たし湯をしなくてもいいので安全である。
【図面の簡単な説明】
【０００７】
【図１】本発明の平面図である。
【図２】本発明の側面図である。
【図３】本発明の付属用のマットの説明図である。
【図４】本発明の風呂の底の穴の図面である。
【発明を実施するための形態】
【０００８】  本発明を実施するための形態を説明する。
（イ）幼児用補助風呂（１）の上部に固定するための窪みを設ける。
（ロ）幼児用補助風呂（１）のふちの内側に取り付けるためのベルト状の留め具（２）を    設け、ベルト状の留め具（２）にフック（６）を２ヵ所設ける。
（ハ）子供が足を出して、入れる穴（４）を風呂の底に４個設ける。
（ニ）安全のため、横につかまる棒（３）を設ける。
（ホ）首の座っていない幼児が入るときは、専用のマット（５）を設ける。
本発明は以上のような構成である。
本発明を使用するときは、大人用浴槽の内側に取り付ける
本発明を使用するときは子供から目を離さないように気をつける。
首が座った子供は穴から足を出して棒につかまり遊びながら入浴できる。
なお、浴槽の底に穴が４個開いているので自然にお湯が入る。
使わない時は取り外す。
幼児は穴の開いたマットを敷いて使う。
【符号の説明】
【０００９】    １  幼児用補助風呂
２  ベルト状の留め具
３  棒
４  穴
５  幼児用のマット
６  フック
【図１】
2018069002.tif 000003
【図２】
2018069002.tif 000004
【図３】
2018069002.tif 000005
【図４】
2018069002.tif 000006
(57)【要約】【課題】  馬蹄型のコインケースは、収納部と上蓋部の周壁の略Ｕ字形状の頂上部と両端部が固定することで仕上がりが良くなると言われているが、パフッと空気が抜けるように差し込むには、緩くなく、きつくなければならなく熟練した職人の技が必要である。本発明は、素人でも作成することができるコインケースを提供する。【解決手段】  だるま形状の底板部の周縁の一方に立設された、収納部の周壁の外側の頂上部と両端部と、底板部のもう一方の周縁の上蓋部の周壁の内側の頂上部と両端部に面ファスナーを縫着する。【選択図】図１
2018069001.tif 000002
【特許請求の範囲】
【請求項１】
だるま形状をなす底板部（１）の周縁の一方に立設した、周壁（２ａ）に中蓋（２ｂ）付きの馬蹄型の略Ｕ字形状をした収納部（２）を設け、前記底板部（１）の周縁のもう一方に、前記収納部（２）をカバーする周壁（３ａ）付きの馬蹄型の略Ｕ字形状をした上蓋部（３）を設け、前記収納部（２）と前記上蓋部（３）に連結されているヒンジ部（５）あり、前記ヒンジ部（５）を介して二つ折れをなすコインケース。
【請求項２】
前記収納部（２）の周壁（２ａ）の外側の頂上部（６ｂ）と両端部（７ｂ、８ｂ）に雌型の面ファスナー、前記上蓋部（３）の周壁（３ａ）の内側の頂上部（６ａ）と両端部（７ａ、８ａ）に雄型の面ファスナーを縫着した請求項１に記載のコインケース。
【請求項３】
前記収納部（２）と、前記上蓋部（３）に縫着する面ファスナーは、両周壁（２ａ、３ａ）の下半分の位置に縫着し、スムーズに係止するように角のない楕円形とする請求項１及び２に記載のコインケース。
【請求項４】
前記上蓋部（３）の周壁（３ａ）を、内側にゆるく傾斜することで、前記上蓋部（３）を前記収納部（２）の周壁（２ａ）に嵌合したとき、きつくギュッと差し込むことができる請求項１〜３の何れか１項に記載のコインケース。
【発明の詳細な説明】
【技術分野】
【０００１】  この発明は、馬蹄型の略Ｕ字形状の頂上部と両端部に、面ファスナーを設けたコインケースに関するものである。
【背景技術】
【０００２】  従来、馬蹄型のコインケースは、熟練した職人により作成されており、蓋の差し込み具合が、素人には難しい。
【発明の開示】
【発明が解決しようとする課題】
【０００３】  馬蹄型のコインケースの作成は難しく、パフッと空気が抜けるように閉じるには、差し込みが緩くなく、少しきついくらいにならなければならなく、熟練した職人の技が必要である。従って、素人でも作成する事が可能になることで、前述の難問を解決しようとするものである。
【課題を解決するための手段】
【０００４】  だるま形状をなす底板部の周縁の一方に立設された周壁に、蓋付きの馬蹄型の略Ｕ字形状の収納部と、前記収納部のもう一方の周縁に、前記収納部をカバーする周壁付きの馬蹄型の略Ｕ字形状の上蓋部があり、前記収納部と前記上蓋部に連結されているヒンジ部を介して二つ折れをなすコインケースであり、前記収納部の周壁の外側の頂上部と両端部に雌型の面ファスナー、前記上蓋部の周壁の内側の頂上部と両端部に雄型の面ファスナーを縫着する。【０００５】  上記上蓋部の周壁は、内側にゆるく傾斜することで、前記上蓋部を前記収納部の周壁に嵌合したとき、きついくらいにギュッとしまることができる。【０００６】  該コインケースの材質は、革、布、軟質合成樹脂で形成してあり、一種または、二種以上の組み合わせにより自由にアレンジできる。
【発明の効果】
【０００７】  馬蹄型のコインケースは、収納部と上蓋部の略Ｕ字形状をした周壁の頂上と両端部が固定することで仕上がりがよくなると言われている。本発明は、収納部と上蓋部の周壁の頂上と両端部に面ファスナーを縫着することで、コインケースを閉じたとき、きつくピタッと固定することができる。
【発明を実施するための最良の形態】
【０００８】  以下、本発明を実施するための最良の形態について説明する。図１は、上蓋部（３）を開放した状態の斜視図である。図１のコインケースＡは、だるま形状をなす底板部（１）の周縁の一方に、収納部（２）の周壁（２ａ）と中蓋（２ｂ）があり、もう一方の周縁に、前記収納部（２）をカバーする上蓋部（３）の周壁（３ａ）があり、前記収納部（２）と前記上蓋部（３）に連結されているヒンジ部（５）からなり、前記収納部（２）と前記上蓋部（３）は、馬蹄型の略Ｕ字形状をなす二つ折れのコインケースに於いて、前記収納部（２）の周壁（２ａ）の外側の頂上部（６ｂ）と両端部（７ｂ、８ｂ）に雌型の面ファスナー、前記上蓋部（３）の周壁（３ａ）の内側の頂上部（６ａ）と両端部（７ａ、８ａ）に雄型の面ファスナーを縫着する。【０００９】  前記上蓋部（３）の周壁（３ａ）は、内側にゆるく傾斜するようになっており、上蓋部（３）を収納部（２）の周壁（２ａ）に嵌合したとき、きついくらいにギュッとしまることができる。【００１０】  図３は、図２の正面図の断面図です。【００１１】  前記収納部（２）と前記上蓋部（３）の、両周壁（２ａ、３ａ）の両頂上部（６ａ、６ｂ）と両端部（７ｂ、８ｂ）、（７ａ、８ａ）に縫着する面ファスナーは、両周壁の位置の下半分に縫着し、スムーズに係止するように角のない楕円形とする。【００１１】  取っ手（４）は、根元をしっかり固定することで、取れにくくなる。
【図面の簡単な説明】
【００１２】
【図１】  本発明のコインケースの上蓋部を開放した状態の斜視図である。
【図２】  本発明のコインケースの上蓋部を閉じた状態の斜視図である。
【図３】  図２の断面図である。
【符号の説明】
【００１３】  Ａ            馬蹄型コインケース
１            底板部
２            収納部
２ａ          収納部の周壁
２ｂ          収納部の中蓋
３            上蓋部
３ａ          上蓋部の周壁
４            取っ手
５            ヒンジ部
６ａ          上蓋部頂上部
６ｂ          収納部頂上部
７ａ、８ａ    上蓋部両端部
７ｂ、８ｂ    収納部両端部
【図１】
2018069001.tif 000003
【図２】
2018069001.tif 000004
【図３】
2018069001.tif 000005
(57)【要約】【課題】  後期高齢者にとって、座椅子は快適さで提供されているが、利用実態は着座と離座時には背面、中腰による不安定さが、肉体と精神面で多きな負担となっており、更に汎用椅子との供用を考慮した支援機能を開発した。【解決手段】基台１上の座椅子２には背面に上下部摺動把手３と４を備え、５の制御装置付きの電動機５とチエイン６で摺動ガイド柱７に沿って座椅子を上下動させ座椅子と汎用椅子間の任意の停止位置に自在に安全、快適に離着座が出来る。  更に、離着座時の支援機能を開発した。【選択図】図１
2018069005.tif 000002
【特許請求の範囲】
【請求項１】
座椅子の上下部に摺動把手を設けて、制御装置付きの電動機とチエインとで、摺動ガイド柱に沿って座椅子を上下動させ、汎用椅子から座椅子の指定位置に自在に昇降停止が可能な機構。
【発明の詳細な説明】
【技術分野】
【０００１】    本発明は、高齢者の座椅子使用時の補助機能に関する。
【技術背景】
【０００２】    後期高齢者等の支援技術．        株）  アマゾン、  ニッセン、
【発明の概要】
【発明が解決しようとする課題】
【０００３】    高齢者にとっては、既販の座椅子は座位での快適さで提供されているが、利用実態は着座と離座時の背面、中腰での不安定さが心理面でも負担となっており、これらを支援すると共に椅子の多能化を計り、安全で快適な利用を可能とする。
【問題を解決するための手段】
【０００４】    座椅子の背部に、上部と下部に摺動把手を設けてチェインに接続し制御装置付電動機で、ガイド柱に沿って座椅子を上下動し、座椅子と汎用椅子との共用を図り次いで使用時の背面使用による不安感を解消する為に、座椅子の前部傾動機能を設けた。
【発明の効果】
【０００５】    座椅子の離着座時の、背面、中腰による肉体と精神的な負担を解消し、離着座時の支援と且つ汎用椅子にも適用出来て、安全で快適さが期待できる。
【図面の簡単な説明】
【０００６】
【図１】  本発明の概要を示す側面図である。
【発明を実施するための形態】
【０００７】    本発明の可動座椅子は、基台１上に３及び４の上下摺動把手を備えた座椅子２で、５の制御装置付の電動機及びチエイン６で摺動ガイド柱７に沿って座椅子を上下動させる、８は操作ボタン、９は補助輪である。
【実施例】
【０００８】  本発明の実施例を図  １で説明する。
使用時は原則として座椅子は最上部で若干前部に傾動状態から始める。
使用者は座椅子の肘掛け位置で背面し、臀部を傾動状態の座板に降し操作ボタン８の下降を選択する事で、５の制御装置付電動機と６のチエインが作動し、摺動ガイド柱７に沿って座椅子を上下動し汎用椅子から座椅子の高さ迄の任意の位置で停止し安全で快適に離着座が出来る。
９は移動用の補助車である。
【符号の説明】
【０００９】          １、  基台                  ２、  座椅子
３、  下部摺動把手          ４、  上部摺動把手
５、  電動機                ６、  チエイン
７、  摺動ガイド柱          ８、  操作ボタン
９、  補助輪
【図１】
2018069005.tif 000003
(57)【要約】【課題】  本発明は球形物の本体の周囲に複数の穴を設け、連結するとき、球形の接点の位置を変えることで形状、文字などを表現できるスマホスタンドになる固まるストラップに関するものである。【解決手段】  球形物の本体（１）の周囲に平面部を設け、さらに、球形物の本体（１ａ）の周囲に穴ａ（２）を設け、球形物の本体（１ｂ）の周囲に穴ｂ（３）を設け、球形物の本体（１ｃ）の周囲に穴ｃ（４）を設けた本体の３種類をひも（５）で組み合わせる。【選択図】図１
2018069009.tif 000002
【特許請求の範囲】
【請求項１】
球形物の本体（１）の周囲に平面部を設け、さらに、球形物の本体（１ａ）の周囲に穴ａ（２）を設け、球形物の本体（１ｂ）の周囲に穴ｂ（３）を設け、球形物の本体（１ｃ）の周囲に穴ｃ（４）を設けた本体の３種類をひも（５）で組み合わせたことを特徴とするスマホスタンドになる固まるストラップ。
【発明の詳細な説明】
【技術分野】
【０００１】  本発明は球形物の本体の周囲に複数の穴を設け、連結するとき、球形の接点の位置を変えることで形状、文字などを表現できるスマホスタンドになる固まるストラップに関するものである。
【背景技術】
【０００２】  従来、ブレスレット、ネックレス、数珠は、球状物の中心に穴を開けて、穴にひもを通し、そのひもの端をつなげることで、外形の形状を円形にしていた。
本発明は、連続して接する円形、球体の接点の位置をずらすことで、外形の形状、文字を表現できるようにしたものである。
なお、ストラップに直接、人形、形のものを付けたものが知られている（特許文献１）。
【先行技術文献】
【特許文献】
【０００３】
【特許文献１】  特開２００８−３０６２７６号公報
【発明の概要】
【発明が解決しようとする課題】
【０００４】  そのために次のような問題点があった。
（イ）球体の中心に連結しているので、外形の形状が円形状しかできなかった。
（ロ）形状が不安定で、ぐらぐらする。
本発明は、以上のような欠点をなくすためになされたものである。
【課題を解決するための手段】
【０００５】  球形物の本体（１）の周囲に平面部を設け、さらに、球形物の本体（１ａ）の周囲に穴ａ（２）を設け、球形物の本体（１ｂ）の周囲に穴ｂ（３）を設け、球形物の本体（１ｃ）の周囲に穴ｃ（４）を設けた本体の３種類をひも（５）で組み合わせる。
球形物の本体の周囲に複数の穴を設けたことを特徴とするスマホスタンドになる固まるストラップである。
連結する球状体の接点の穴位置を一定の方向にずらしていくことによって、連結している球体に角度が生まれるスマホスタンドになる固まるストラップである。
本発明は、以上のように組み合わせることにより連結する円形、球形物の接点の位置を変えることで形状、文字などを表現できるスマホスタンドになる固まるストラップである。
【発明の効果】
【０００６】  球体の連結部の穴の位置を変えれば、円形だけでなくハート形、四角形、三角形などの形から文字、置物までいろいろとできる。
【図面の簡単な説明】
【０００７】
【図１】  本発明の球形物の本体の斜視図である。（ａ）は、穴の角度が６０度のときの斜視図である。（ｂ）は、穴の角度が９０度のときの斜視図である。（ｃ）は、穴の角度が１８０度のときの斜視図である。
【図２】  本発明の穴の角度を示した説明図である。（ａ）は、穴の角度が６０度のときの説明図である。（ｂ）は、穴の角度が９０度のときの説明図である。（ｃ）は、穴の角度が１８０度のときの説明図である。
【図３】  本発明の全体の斜視図である。
【図４】  本発明の全体の右側面図である。
【図５】  本発明の全体の上面図である。
【図６】  本発明の全体の正面図である。
【発明を実施するための形態】
【０００８】  以下、本発明を実施するための形態について説明する。
１は、球形物の本体である。１ａは、穴の角度が６０度のときの球形物の本体である。１ｂは、穴の角度が９０度のときの球形物の本体である。１ｃは、穴の角度が１８０度のときの球形物の本体である。
２は、穴ａである。３は、穴ｂである。４は、穴ｃである。５は、ひもである。
球形物の本体（１）の周囲に平面部を設ける。
さらに、球形物の本体（１ａ）の周囲に穴ａ（２）を設ける。
球形物の本体（１ｂ）の周囲に穴ｂ（３）を設ける。
球形物の本体（１ｃ）の周囲に穴ｃ（４）を設ける。
本体の３種類をひも（５）で組み合わせる。
球形物の本体の周囲に複数の穴を設ける。
本発明は以上のような構成よりなるスマホスタンドになる固まるストラップである。
連結する球体の接点の穴を中心点からずらせる。
作りたい曲線の形状に合わせて接点の位置を中心部からずらせることによって連結する連結の球体が曲線にそって形状を作る。
本発明の使い方を説明する。
図３（スマホスタンド）のように、作りたい形状に合わせて球体を配置する。
その形状に合わせて互いに連結している球体の接点に合わせて穴を開ける。
その穴に連結のためのひもを通す。
球体の連結部の穴の位置を変えれば、円形だけでなくハート形、四角形、三角形などの形から文字、置物までいろいろとできる。
【符号の説明】
【０００９】１  球形物の本体
１ａ  穴の角度が６０度のときの球形物の本体
１ｂ  穴の角度が９０度のときの球形物の本体
１ｃ  穴の角度が１８０度のときの球形物の本体
２  穴ａ
３  穴ｂ
４  穴ｃ
５  ひも
【図１】
2018069009.tif 000003
【図２】
2018069009.tif 000004
【図３】
2018069009.tif 000005
【図４】
2018069009.tif 000006
【図５】
2018069009.tif 000007
【図６】
2018069009.tif 000008